(57)【特許請求の範囲】
【請求項１】
下方筒部分を摘み筒部にかつ上方筒部分を棒状化粧品収納筒２とした主筒１を設けて、収納筒２外面へ回動可能に回動筒10を嵌合させ、又上記収納筒２内へは上下動可能に棒状化粧品の下部嵌着用受皿20を嵌合させて、該受皿外面から突出させたピン21を、上記収納筒２と回動筒10との一方に設けた縦溝３と他方に設けた螺溝13とに係合させて、上記回動筒10を持ち、摘み筒部を正逆両方向へ回動させることで受皿20を上下動させるよう設けた棒状化粧品収納容器において、
上記摘み筒部を、棒状化粧品収納筒２下端から垂下する、下面開口の第１内外二重筒５, ６の内外面へ、底板31から起立する第２内外二重筒32, 33上部を回動不能にかつ押上げ可能に嵌合させた袴状筒30で形成し、
上記第１外筒６の下端外面へは第１係合突条９を、第２外筒33の中間部内面へは第１係合突条９上面へ係合する第２係合突条35を、それぞれ周設すると共に、第１外筒６には下面開口の切割溝８を適当数縦設し、又第１外筒６下方の第２外筒内には、上記第２係合突条35内径とほぼ同一内径のガイド短筒40を上下動可能に嵌合させ、更に、第１外筒６の下面には上方大径のテ−パ面9aを付形し、
上記袴状筒30に対して回動筒10および収納筒２を押下げることで、第１外筒６下部がガイド短筒40内へ嵌合し、該状態から袴状筒30に対して回動筒10を引上げることで、ガイド短筒40が第１外筒６と共に上昇して、ガイド短筒40の上端面が第２係合突条35下面へ係合して停止することで、ガイド短筒40に対して第１外筒６が上昇して、第１係合突条９が第２係合突条35を乗越え可能に設けた
ことを特徴とする棒状化粧品収納容器。
【請求項２】
第２外筒33よりも上方に位置する回動筒10部分を内部に挿入させて筒状キャップ50の下部を第２外筒33の上部外面に着脱自在に嵌合させたことを特徴とする請求項１記載の棒状化粧品収納容器。
【発明の詳細な説明】
【０００１】
【発明の属する技術分野】
本発明は、棒状化粧品収納容器に関する。
【０００２】
【従来の技術】
【０００３】
【発明が解決しようとする課題】
従来この種容器として、摘み筒部から、左右両部に縦割溝を有する棒状化粧品収納筒部を起立した主筒と、棒状化粧品収納筒の外面に回動可能に嵌合され、かつ内面に二条の螺溝を穿設した回動筒と、棒状化粧品収納筒の内面に嵌合され、かつ外面に付設したピン先端を縦割溝を通して螺溝に係合させた、棒状化粧品の下部嵌着用受皿と、摘み筒部の上部外面に下部を着脱自在に嵌合させた筒状キャップとで形成され、筒状キャップを外して回動筒を持ち、摘み部を正逆両方向へ回動させることで受皿を上下動させるよう設けたものが周知である。
【０００４】
棒状化粧品として棒状口紅がその代表例であるが、その口紅の色は、晴れ、曇り等の天候とか、昼夜によって自由に変更できることが望ましい。
【０００５】
しかしそのためには、多数の容器を必要として不経済であるから、容器の外装部分はそのままとして、口紅を主とする内装部分だけを交換できるようにすれば便利である。
【０００６】
このような容器として、例えば、実開平３−128022号記載のものがあり、該容器は、摘み筒部の内面を棒状化粧品収納筒の下部外面へ嵌合させると共に、摘み筒部の中間内面に周設した第１係合突条下面に、棒状化粧品収納筒の下部外面に周設した第２係合突条の上面を、係脱自在に係合させて、摘み筒部を必要に応じて取り外し可能に設けている。しかしながら、該従来容器では、成形誤差等で第１, 第２係合突条相互の係合が固くなり過ぎることがあるため、内装部分の交換に手間がかかることがある。
【０００７】
本発明は、容器の内装部分と外装部分とに設けた凹凸の係合手段を容易に係脱できるよう形成することで、内装部分を簡単に交換できるよう設けた。
【０００８】
【課題を解決するための手段】
第１の手段として、下方筒部分を摘み筒部にかつ上方筒部分を棒状化粧品収納筒２とした主筒１を設けて、収納筒２外面へ回動可能に回動筒10を嵌合させ、又上記収納筒２内へは上下動可能に棒状化粧品の下部嵌着用受皿20を嵌合させて、該受皿外面から突出させたピン21を、上記収納筒２と回動筒10との一方に設けた縦溝３と他方に設けた螺溝13とに係合させて、上記回動筒10を持ち、摘み筒部を正逆両方向へ回動させることで受皿20を上下動させるよう設けた棒状化粧品収納容器において、
上記摘み筒部を、棒状化粧品収納筒２下端から垂下する、下面開口の第１内外二重筒５, ６の内外面へ、底板31から起立する第２内外二重筒32, 33上部を回動不能にかつ押上げ可能に嵌合させた袴状筒30で形成し、
上記第１外筒６の下端外面へは第１係合突条９を、第２外筒33の中間部内面へは第１係合突条９上面へ係合する第２係合突条35を、それぞれ周設すると共に、第１外筒６には下面開口の切割溝８を適当数縦設し、又第１外筒６下方の第２外筒内には、上記第２係合突条35内径とほぼ同一内径のガイド短筒40を上下動可能に嵌合させ、更に、第１外筒６の下面には上方大径のテ−パ面9aを付形し、
上記袴状筒30に対して回動筒10および収納筒２を押下げることで、第１外筒６下部がガイド短筒40内へ嵌合し、該状態から袴状筒30に対して回動筒10を引上げることで、ガイド短筒40が第１外筒６と共に上昇して、ガイド短筒40の上端面が第２係合突条35下面へ係合して停止することで、ガイド短筒40に対して第１外筒６が上昇して、第１係合突条９が第２係合突条35を乗越え可能に設けた。
【０００９】
第２の手段として、第１の手段を有すると共に、第２外筒33よりも上方に位置する回動筒10部分を内部に挿入させて筒状キャップ50の下部を第２外筒33の上部外面に着脱自在に嵌合させた。
【００１０】
【発明の実施の形態】
本発明容器は、内装部分Ａと外装部分Ｂとからなり、内装部分Ａは、主筒１，回動筒10および受皿20で形成され、一部構造が公知の棒状化粧品と同様であるので、公知の部分については簡単に説明する。
【００１１】
主筒１は、上方筒壁部分を棒状化粧品収納筒２とし、該棒状化粧品収納筒は、上端部を除いた左右両部に割溝とした縦溝３を穿設し、かつ上端部外面に係合突部2aを周設している。又上記棒状化粧品収納筒２の下端には外向きフランジ４を付設し、かつ該外向きフランジの内外周部から下面開口の第１内外二重筒５，６を垂下し、図３のように、第１内筒５の下部内面に下面開口の係合凹溝７を多数縦設している。又上記第１外筒６は、下面開口の切割溝８を適当数縦設することで弾性変形可能となし、かつ下端外面に周設した第１係合突条９の下面に上方大径のテ−パ面9aを付形している。
【００１２】
回動筒10は、内外二層筒11、12で形成され、内方筒部11は、上記収納筒２外面に正逆方向への回動可能に嵌合させて、下端面を上記外向きフランジ４上面へ載置させると共に、上端面を上記係合突部2a下面へ係合させて収納筒２に対して上下動不能となし、又内方筒部11の内面には二条の螺溝13を周設している。更に、上記外方筒部12は、外観を整えるための化粧筒であり、必要に応じて内方筒部11外面へ嵌合固着させる。
【００１３】
受皿20は、上記収納筒２の下部内面に上下動可能に嵌合され、かつ左右両部外面から突出したピン21の先端を既述縦溝３を通して螺溝13下部内へ係合させている。該受皿には、棒状化粧品の下部外面を嵌着させる。
【００１４】
外装部分Ｂは、袴状筒30, ガイド短筒40および筒状キャップ50からなり、袴状筒30は、フランジ状の底板31の内外周部から起立する第２内外二重筒32, 33を有し、これ等第２内外二重筒の上部を上記第１内外二重筒５, ６の内外面へ押上げ可能に嵌合させ、かつ図２のように第２内筒32の外面に多数縦設した係合突起34を上記係合凹溝７下部に嵌合させることで、上記第１内筒５に対する第２内筒32の回動を阻止している。又上記第２外筒33の中間部内面には第２係合突条35を周設して、該第２係合突条の下面を上記第１係合突条９上面へ係合させ、更に、第２係合突条下方の第２外筒13部分は大内径としている。図示例では、第２外筒33を上記第１外筒６よりも高く起立したが、第２外筒33は、第１外筒６上端へ達する程度の起立高さでもよい。
【００１５】
上記袴状筒30は、従来の技術で説明した、従来容器が有する摘み筒部に相当し、図１が示す状態から後述筒状キャップ50を外して、上記回動筒10を持って袴状筒の第２外筒33を正逆方向へ回動させることで、第２内筒32および第１内筒５を介して、上記収納筒２を回動筒10に対して回動させて、上記受皿20を上下動させることができるよう設けている。尚図示例では、袴状筒30を上下二部材で形成したが、一体物でもよい。
【００１６】
ガイド短筒40は、上記第２係合突条35とほぼ同一内径とし、かつ上記第２係合突条35下方の第２外筒33部分内面に、第２係合突条35下面との間に小間隙をあけて嵌合させると共に、第２係合突条35下面と上記底板31上面との間で上下動可能として、図１が示す状態から後述筒状キャップ50を外し、かつ回動筒10および主筒１を袴状筒30に対して押下げることで、図５のように既述第１外筒６下部がガイド短筒内面へ嵌合し、かつ該状態から袴状筒30に対して回動筒10を引上げることで、ガイド短筒が、図６が示す上限位置まで第１外筒６と共に上昇して、第２係合突条35直ぐ上方の第２外筒33部分内面へ第１係合突条９を案内するよう設けている。又ガイド短筒40は、図１が示す状態では上端内縁が第１係合突条のテ−パ面9a下部に当接して上記第１外筒６を下方から支持するよう形成している。
【００１７】
筒状キャップ50は、頂壁51周縁から垂下した周壁52の下部内面を、上記第２外筒33上半の小外径部分へ着脱自在に嵌合させている。該筒状キャップと上記袴状筒30は、外観を考慮して美麗に形成するとよい。
【００１８】
図示例では、回動筒10に螺溝13を、かつ棒状化粧品収納筒２に縦溝３を、それぞれ設けたが、これを逆にして回動筒10に縦溝３を、かつ収納筒２に螺溝13を、それぞれ設けてもよい。
【００１９】
内装部分Ａは、以下のようにして交換する。先ず、図１が示す状態から筒状キャップ50を外して、回動筒10および主筒１を袴状筒30に対して押下げる。すると、図５のように、第１外筒６下部が、第１係合突条下面のテ−パ面9aに案内されてガイド短筒40の上部内面へ嵌合し、かつ第１外筒６下部が縮径変形して、第１係合突条９の外径と第２係合突条35の内径とが略同一径となる。次いで、該状態から袴状筒30に対して回動筒10を引上げると、ガイド短筒40が第１外筒６と共に上昇し、かつ図６のようにガイド短筒40の上端面が第２係合突条35下面へ係合して、ガイド短筒40が停止するため、以後、ガイド短筒40に対して第１外筒６が上昇して、第１係合突条９が第２係合突条35を乗越えることとなり、よって、第１外筒６を第２外筒33内から引き抜くことができる。又ガイド短筒40は、図６が示す状態から第１外筒６下部が引き抜かれると、自重によって袴状筒の底板31上面まで下降する。
【００２０】
交換用の内装部分Ａに袴状筒30を装着させる場合には、第１外筒６を第２外筒33内上部へ挿入させて、回動筒10および主筒１を袴状筒30に対して押下げる。すると、第１係合突条下面のテ−パ面9aに案内されて、かつ第１外筒６下部が縮径変形して、第１係合突条９が第２係合突条35を乗越え、両係合突条が相互に係合することとなる。
【００２１】
尚上記各部品は、合成樹脂材で成形すればよい。
【００２２】
【発明の効果】
請求項１記載の構造としたから、図１が示す状態から筒状キャップ50を外し、かつ回動筒10を介して主筒１を袴状筒30に対して押下げ、次いで、袴状筒30に対して主筒１を僅かに引上げることで、第１係合突条９を第２係合突条35直ぐ上方の第２外筒33部分内面へガイド短筒40によって案内することができ、よって、第１，第２係合突条９，35の係合を容易に離脱させることができ、又交換用の内装部分Ａに袴状筒30を装着させる場合には、第１係合突条９を、テ−パ面9aの案内によって第２係合突条35下面へ容易に係合させることができ、よって、内装部分Ａを容易に交換できるから、棒状口紅等の色を昼夜の別、天候に応じて変更する等の消費者の要望を満たすことができる。
【００２３】
請求項２記載の発明は、請求項１記載の発明の効果を有すると共に、内装部分Ａを入れ換えて外装部分Ｂを長期間使用できるから、内外両部分を使い捨てとする場合に比して、消費者の経済的負担が軽減され、かつ省資源の要請にも貢献できる。
【図面の簡単な説明】
【図１】  本発明容器の一実施形態を示す縦断面図である。
【図２】  同実施形態の部分拡大縦断面図である。
【図３】  筒状キャップおよび袴状筒を取り外した状態で示す、同実施形態の縦断面図である。
【図４】  同実施形態のガイド短筒の拡大斜視図である。
【図５】  袴状筒に対して回動筒および主筒を押下げた状態で示す、同実施形態の部分縦断面図である。
【図６】  図５の状態から袴状筒に対して回動筒および主筒を僅かに引上げた状態で示す、同実施形態の部分縦断面図である。
【符号の説明】
Ａ…内装部分  Ｂ…外装部分  １…主筒
10…回動筒  20…受皿  30…袴状筒
40…ガイド短筒  50…筒状キャップ
【図１】
0003852664.tif 000002
【図２】
0003852664.tif 000003
【図３】
0003852664.tif 000004
【図４】
0003852664.tif 000005
【図５】
0003852664.tif 000006
【図６】
0003852664.tif 000007